(57)【要約】【課題】  共用化粧室や家庭用化粧室の使用器具、家庭の浴室の床タイルや壁面の洗浄を簡単な操作で適確且つ迅速に行なう洗浄ユニットの提供。【解決手段】  弁体具１の雄型連結体１２ａから雌型軸受蓋５ｂを外し、水流管２の雌型軸受蓋５ａから雄型連結体１２ｂを外し、雌型軸受蓋５ａを弁体具１の雄型連結体１２ａに連結装着した水流管２を、延長誘導して洗浄対象物に近接対向させ、噴射変換器６の噴射釦８を押圧し蛇口３から水流管２に流入した洗浄水を噴射水に変換して洗浄対象物に噴射し、簡単な操作で適確且つ迅速に洗浄対象物の洗浄が可能になる。不使用時には弁体具１の雄型連結体１２ａは雌型軸受蓋５ｂで、水流管２の雌型軸受蓋５ａは雄型連結体１２ｂでそれぞれ封鎖され、弁体具１や水流管２内に粉塵などが侵入せず、粉塵などによる洗浄効率の低下も防止可能になる。【選択図】図１
2011072976.tif 000002
【特許請求の範囲】
【請求項１】
全体が携帯自在で且つ蛇口に装着自在に構成され、前記蛇口への装着状態で洗浄対象物の所在位置まで延長誘導され、該洗浄対象物を噴射水で洗浄する洗浄ユニットであり、
前記蛇口に装着自在で、複数の水流路の起点部を形成する弁体具と、
一端に前記複数の水流路の一つに着脱自在な軸受筒が設けられ、他端に前記蛇口から流入する洗浄水を前記噴射水に変換する噴射変換器が設けられ、前記洗浄対象物まで延長誘導される水流管と
を有することを特徴とする洗浄ユニット。
【請求項２】
洗浄対象物が不特定多数の使用者に使用される共用化粧室の使用器具であり、蛇口が前記共用化粧室に近い水道の蛇口であることを特徴とする請求項１記載の洗浄ユニット。
【請求項３】
洗浄対象物が家庭の化粧室の使用器具であり、蛇口が家庭用の水道の蛇口であることを特徴とする請求項１記載の洗浄ユニット。
【請求項４】
洗浄対象物が家庭の浴室の床タイル及び壁面であり、蛇口が家庭用の水道の蛇口であることを特徴とする請求項１記載の洗浄ユニット。
【発明の詳細な説明】
【技術分野】
【０００１】  本発明は、蛇口への装着状態で洗浄対象物の所在位置まで延長誘導され、洗浄対象物を噴射水で洗浄する洗浄ユニットに関する。
【背景技術】
【０００２】  我々の身辺には、その利用が日常的に必須で清潔な状態での利用が望まれるものでありながら、使用後の清掃や洗浄が思い通りには行なわれず、使用前や使用後に不快感や不満感を覚えるものがある。
その典型的な例が、公園などに設けられ、不特定多数の人が使用する共用化粧室の使用器具である。この種の使用器具では多くの場合、使用後に水流により廃物を自動的に流出除去することは行なわれるが、その後に使用器具に残った廃物微粒片を除去洗浄するための洗浄用具は設けられていないことが多い。
このために、共用化粧室では時間の経過と共に利用者数が増加すると、共用化粧室の使用器具への廃物微粒片の付着が目立つようになり、共用化粧室の利用に不快感を覚える程にもなってしまう。【０００３】  当然のことながら、この種の共用化粧室の清掃を管理する機関もこのことは周知しており、公園などに設けられる共用化粧室の清掃は定期的に行なわれているが、その清掃が能率的且つ適確に行なわれている場合は少ない。その清掃に際しては多くの場合、係員は清掃対象となる共用化粧室に最も近い水道の蛇口から、バケツで運んだりホースを介して流入させた水を使って、備え付けのブラシで使用器具をブラシングすることにより清掃を行なっている。
しかし、限られた人数の係員で、多くの共用化粧室を巡って使用器具の清掃を行なわねばならぬことも多く、予算の面からも共用化粧室の使用器具を毎日清掃することはできず、どうしても使用者に不満感や不快感を与えがちになる。【０００４】  このことは、共用化粧室の使用器具に限らず、一般家庭の化粧室の使用器具や浴室の床タイルや壁面に対しても生じることがある。
一般家庭の化粧室の使用器具では、使用後の廃物は水流により自動的に流出され、さらにウォシュレットで使用後の清潔感を満足させる洗浄機能が具備されていることも多いが、使用後の廃物微粒片の使用器具からの洗浄除去の機能は依然として不十分である。このために、例えば使用後に洗剤を混ぜた水流で廃物微粒片を流し落としたり、使用後に洗剤とブラシを使用して付着した廃物微粒片の使用器具からの除去を行なっている。
一般家庭の浴室でも同様であり、床タイルの窪みや床タイルと壁面間の隙間に湯垢状の異物粒片が詰まりがちで、浴室のシャワーが届かない浴室の隅部では、この異物粒片の清掃ができず不便である。
【発明の概要】
【発明が解決しようとする課題】
【０００５】  以上に説明したように、共用化粧室や一般家庭の化粧室の使用器具に付着しがちな廃物微粒片や、一般家庭の浴室の床タイルの窪みや床タイルと壁面間の隙間にも付着しがちな異物粒片を洗浄対象物とする清掃は、従来から使用者の十分な満足感を得るまでには行なわれないことが多かった。
本発明は、前述したような洗浄対象物の洗浄の現状に鑑みてなされたものであり、その目的は、洗浄水の供給蛇口から離れた位置にある洗浄対象物の洗浄を簡単な操作で、適確迅速に行なうことが可能な洗浄ユニットを提供することにある。
【課題を解決するための手段】
【０００６】  前記目的を達成するために、請求項１記載の第１の発明は、全体が携帯自在に且つ蛇口に装着自在に構成され、前記蛇口への装着状態で洗浄対象物の所在位置まで延長誘導され、該洗浄対象物を噴射水で洗浄する洗浄ユニットである。第１の発明は、前記蛇口への装着状態で、前記蛇口からの水路を複数の分岐路に分岐する弁体具と、一端に前記複数の分岐流路の一つに装着自在な軸受筒が設けられ、他端に前記蛇口から流入する洗浄水を前記噴射水に変換する噴射変換器が設けられ、前記洗浄対象物の所在位置まで延長誘導される水流管とを有することを特徴とする。【０００７】  第１の発明に係る洗浄ユニットは、洗浄対象物の近くの蛇口まで携帯移動され、弁体具が蛇口に装着されると、蛇口からの水路は弁体具によって複数の分岐路に分岐される。この状態で水流管の一端に設けられた軸受筒を、複数の分岐路の一つに装着した後に、水流管を洗浄対象物の所在位置まで延長誘導する。
そして、水流管の他端に設けられた噴射変換器を作動させることにより、蛇口から水流管に流入した洗浄水が噴射水に変換され、洗浄対象物はこの噴射水により、簡単な操作で適確に洗浄される。【０００８】  同様に前記目的を達成するために、請求項２記載の第２の発明は、第１の発明において、洗浄対象物が不特定多数の使用者に使用される共用化粧室の使用器具であり、蛇口が前記共用化粧室に近い水道の蛇口であることを特徴とするものである。【０００９】  第２の発明に係る洗浄ユニットは、例えば公園などに設けられ、不特定多数の使用者に使用される共用化粧室の使用器具を洗浄対象物とするものであり、使用時には洗浄対象物の近くの水道の蛇口まで携帯移動され、洗浄ユニットの弁体具が蛇口に装着されると、蛇口からの水路は弁体具によって複数の分岐路に分岐される。この状態で水流管の一端に設けられた軸受筒を、複数の分岐路の一つに装着した後に、水流管を洗浄対象物の所在位置まで延長誘導する。
そして、水流管の他端に設けられた噴射変換器を作動させることにより、蛇口から水流管に流入した洗浄水が噴射水に変換され、洗浄対象物となる共用化粧室の使用用具は、この噴射水により簡単な操作で適確且つ迅速に洗浄される。【００１０】  同様に前記目的を達成するために、請求項３記載の第３の発明は、第１の発明において、洗浄対象物が家庭の化粧室の使用器具であり、蛇口が家庭用の水道の蛇口であることを特徴とするものである。【００１１】  第３の発明に係る洗浄ユニットは、家庭の化粧室の使用器具を洗浄対象物とするものであり、使用時には洗浄対象物の近くの家庭用の水道の蛇口まで携帯移動され、洗浄ユニットの弁体具が蛇口に装着されると、蛇口からの水路は弁体具によって複数の分岐路に分岐される。この状態で水流管の一端に設けられた軸受筒を、複数の分岐路の一つに装着した後に、水流管を家庭の化粧室の使用器具の位置まで延長誘導する。
そして、水流管の他端に設けられた噴射変換器を作動させることにより、蛇口から水流管に流入した洗浄水が噴射水に変換され、洗浄対象物となる家庭の化粧室の使用器具は、この噴射水により簡単な操作で適確且つ迅速に洗浄される。【００１２】  同様に前記目的を達成するために、請求項４記載の第４の発明は、第１の発明において、洗浄対象物が家庭の浴室の床タイル及び壁面であり、蛇口が家庭用の水道の蛇口であることを特徴とするものである。【００１３】  第４の発明に係る洗浄ユニットは、家庭の浴室の床タイル及び壁面を洗浄対象物とするものであり、使用時には洗浄対象物の近くの家庭用の水道の蛇口まで携帯移動され、洗浄ユニットの弁体具が蛇口に装着されると、蛇口からの水路は弁体具によって複数の分岐路に分岐される。この状態で水流管の一端に設けられた軸受筒を、複数の分岐路の一つに装着した後に、水流管の他端を洗浄対象物である家庭の浴室の床タイル及び壁面まで延長誘導する。
そして、水流管の他端に設けられた噴射変換器を作動させることにより、蛇口から水流管に流入した洗浄水が噴射水に変換され、洗浄対象物となる家庭の浴室の床タイル及び壁面は、この噴射水により簡単な操作で適確且つ迅速に洗浄される。
【発明の効果】
【００１４】  第１の発明に係る洗浄ユニットは、全体が携帯自在に構成されていて、洗浄対象物の所在位置の近くの蛇口まで簡単に移動可能であり、蛇口に装着自在な洗浄ユニットの弁体具が蛇口に装着されると、蛇口からの水路が弁体具によって複数の分岐路に分岐される。この状態で洗浄ユニットの水流管の一端に設けられた軸受筒を、複数の分岐路の一つに装着した後に、洗浄ユニットの水流管を洗浄対象物の所在位置まで簡単に延長誘導することが可能である。
そして、水流管の他端に設けられた噴射変換器を作動させることにより、蛇口から水流管に流入した洗浄水が噴射水に変換され、洗浄対象物をこの噴射水により、簡単な操作で適確且つ迅速に洗浄することが可能になる。
また、弁体具により分岐路が形成されるので、水流管が軸受筒により連結された水路以外の水路を洗浄対象物の洗浄以外の目的に同時に使用することも可能になる。【００１５】  このように、第１の発明に係る洗浄ユニットは、洗浄対象物の配置位置まで使用者が簡単に携帯移動することができ、弁体具を蛇口に装着して蛇口の水路を複数の水路に分岐させた状態で、その一つの水路に水流管の一端を軸受筒で装着し、水流管の他端を洗浄対象物に近接対向させ、水流管の他端から噴射水を噴射させることにより洗浄対象物の洗浄を簡単な操作で適確且つ迅速に行なうことが可能になる。【００１６】  第２の発明に係る洗浄ユニットによると、公園などの共用化粧室の使用器具を洗浄対象物として第１の発明で得られる効果を実現することが可能になる。【００１７】  第３の発明に係る洗浄ユニットによると、家庭の化粧室の使用器具を洗浄対象物として第１の発明で得られる効果を実現することが可能になる。【００１８】  第４の発明に係る洗浄ユニットによると、家庭の浴室の床タイル及び壁面を洗浄対象物として第１の発明で得られる効果を実現することが可能になる。
【図面の簡単な説明】
【００１９】
【図１】  本発明の実施例の構成を示す斜視説明図である。
【発明を実施するための形態】
【００２０】  以下に本発明の実施例を図１を参照して説明する。
【実施例】
【００２１】  最初に本発明を、公園などに設けられ不特定多数の使用者に使用される共用化粧室の使用器具の洗浄に使用する場合について説明する。
この場合には、図１に示す弁体具１と水流管２からなる洗浄ユニットの弁体具１を、予め洗浄対象となる共用化粧室の数だけ準備し、洗浄対象となる共用化粧室の近くの水道の蛇口３に対して、ワンタッチ操作で連結可能な雄型連結体１２ｅによりそれぞれ予め連結装着して置く。さらに、このように蛇口３に連結装着された弁体具１の雄型連結体１２ａは、水流管２が接続されない不使用時には雌型軸受蓋５ｂによってそれぞれ封鎖状態にし、外部からの粉塵などの内部侵入を防止して置く。
また係員は、洗浄対象となる複数の共用化粧室の洗浄時の巡回に際しては、洗浄ユニットの水流管２を常時携帯持参するが、その際には水流管２の雌型軸受蓋５ａは雄型連結体１２ｂによりワンタッチ操作で封鎖状態にし、外部からの粉塵などの内部侵入を防止して置く。【００２２】  そして清掃対象となる共用化粧室に到着した係員は、その共用化粧室の近くの壁体１４に設けられている蛇口３に固定装着されている弁体具１の雄型連結体１２ａから、雌型軸受蓋５ｂを取り外し、携帯持参してきた水流管２の雌型軸受蓋５ａから雄型連結体１２ｂを取り外し、雌型軸受蓋５ａを弁体具１の雄型連結体１２ａに、ワンタッチ操作で直接連結装着する。次いで係員は、水流管２の延長誘導自在な端部を洗浄対象物となる共同化粧室の使用器具の所在位置まで延長誘導し、洗浄対象物となる使用器具に近接対向させる。
この状態で、係員が水流管２の端部に設けられた噴射変換器６の噴射釦８を押圧すると、蛇口３から弁体具１を介して水流管２に流入した洗浄水が噴射水に変換され、この噴射水が噴射口７から洗浄対象物となる共用化粧室の使用器具に噴射され、簡単な操作によって適確且つ迅速に共用化粧室の使用器具の洗浄が行なわれる。【００２３】  ここで、本発明を家庭用の化粧室の使用器具や家庭用の浴室の床タイル及び壁面の洗浄に使用する場合を図１を流用して説明する。
この場合は、家庭用の化粧室または浴室の近くの壁体１４の蛇口３に洗浄ユニットの弁体具１の雄型連結体１２ｅを事前に連結装着して置く。
この状態で家庭用の化粧室の使用器具や浴室の床タイル及び壁面の洗浄を行なう場合には、水流管２を洗浄を行なう化粧室や浴室に持ち込み、弁体具１の雄型連結体１２ａから、雌型軸受蓋５ｂを取り外し、水流管２の雌型軸受蓋５ａから雄型連結体１２ｂを取り外し、雌型軸受蓋５ａを弁体具１の雄型連結体１２ａに、ワンタッチ操作で直接連結装着する。
そして水流管２の延長誘導自在な端部を洗浄対象物となる化粧室の使用器具や浴室の床タイル及び壁面の位置まで延長誘導して洗浄対象物に近接対向させる。この状態で噴射変換器６の噴射釦８を押圧すると、蛇口３から弁体具１を介して水流管２に流入した洗浄水が噴射水に変換され、この噴射水が噴射口７から洗浄対象物に噴射され、簡単な操作によって適確且つ迅速に家庭の化粧室の使用器具や、家庭の浴室の床タイル及び壁面の洗浄が行なわれる。【００２４】  以上に説明したように、本実施例によると、簡単な操作によって適確且つ迅速に、共用化粧室や家庭の化粧室の使用器具、家庭の浴室の床タイル及び壁面の洗浄を行なうことが可能になる。また、弁体具１により雄型連結体１２ｃ、１２ｄを介して分岐水流路が形成されるので、水流管２が連結される雄型連結体１２ａを介して形成される水路以外の水路を洗浄対象物の洗浄以外の目的に同時に使用することも可能になる。さらに、不使用時には弁体具１の雄型連結体１２ａは雌型軸受蓋５ｂで封鎖され、水流管２の雌型軸受蓋５ａは雄型連結体１２ｂで封鎖されているので、弁体具１や水流管２内部に粉塵などが入り込まず、洗浄対象物に粉塵が付着して洗浄効率が低下することが防止可能になる。
【符号の説明】
【００２５】１  弁体具
２  水流管
３  蛇口
５ａ〜５ｅ  雌型軸受蓋
６  噴射変換器
７  噴射口
８  噴射釦
１２ａ〜１２ｅ  雄型連結体
１４  壁面
【図１】
2011072976.tif 000003